【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
同期信号送信のためのワイヤレスリソースの第１のセットとブロードキャストチャネル送信のためのワイヤレスリソースの第２のセットとを識別することと、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを識別することと、ここにおいて、時間リソースの前記第１のサブセットと時間リソースの前記第２のサブセットとが、異なる基準信号波形を有する、
前記基準信号リソースを介して基準信号送信を受信することと、
前記基準信号リソースの前記ロケーションに少なくとも部分的に基づいて前記基準信号送信の波形を決定することと、
前記受信された基準信号送信と前記基準信号送信の前記決定された波形とに少なくとも部分的に基づいてチャネル推定を実施することと
を備える、ワイヤレス通信のための方法。
【請求項２】
時間リソースの前記第１のサブセットと時間リソースの前記第２のサブセットとの各々の前記基準信号リソースが、同じ数の周波数トーンを占有する、請求項１に記載の方法。
【請求項３】
時間リソースの前記第１のサブセットと時間リソースの前記第２のサブセットとの各々が、同じ基準信号波形を有する、請求項２に記載の方法。
【請求項４】
時間リソースの前記第１のサブセットが、トーンの第１のサブセットとトーンの第２のサブセットとの中に基準信号リソースを含み、
時間リソースの前記第２のサブセットが、トーンの前記第１のサブセットとトーンの第３のサブセットとの中に基準信号リソースを含む、
請求項１に記載の方法。
【請求項５】
時間リソースの前記第１のサブセットと時間リソースの前記第２のサブセットとの中のトーンの前記第１のサブセットが、同じ基準信号波形を有し、
時間リソースの前記第１のサブセット中のトーンの前記第２のサブセットと、時間リソースの前記第２のサブセット中のトーンの前記第３のサブセットとが、異なる基準信号波形を有する、
請求項４に記載の方法。
【請求項６】
時間リソースの前記第１のサブセットと時間リソースの前記第２のサブセットとが、基準信号シーケンスの異なる部分を有する、請求項１に記載の方法。
【請求項７】
ワイヤレスリソースの前記第２のセットが物理ブロードキャストチャネル（ＰＢＣＨ）リソースを備え、ワイヤレスリソースの前記第１のセットが同期信号リソースを備える、請求項１に記載の方法。
【請求項８】
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第２のシンボルの後に位置する、
請求項７に記載の方法。
【請求項９】
ワイヤレスリソースの前記第１のセットが、第１の帯域幅にわたる周波数リソースの第１のセットを備え、ワイヤレスリソースの前記第２のセットが、前記第１の帯域幅よりも大きい第２の帯域幅にわたり前記第１の帯域幅の少なくとも一部分と重複する周波数リソースの第２のセットを備え、前記方法が、
周波数リソースの前記第２のセットにわたって非一様に分配された前記基準信号リソースを識別すること
をさらに備える、請求項１に記載の方法。
【請求項１０】
前記受信された基準信号送信に少なくとも部分的に基づいて、送信機識別、タイミング情報、または同期信号送信構成のうちの１つまたは複数を決定すること
をさらに備える、請求項１に記載の方法。
【請求項１１】
同期信号送信のためのワイヤレスリソースの第１のセットとブロードキャストチャネル送信のためのワイヤレスリソースの第２のセットとを構成することと、ワイヤレスリソースの前記第２のセットが、時間リソースの第１のサブセットと時間リソースの第２のサブセットとを備える、ここにおいて、時間リソースの前記第１のサブセットと時間リソースの前記第２のサブセットとが、異なる基準信号波形を有する、
時間リソースの前記第１のサブセットと時間リソースの前記第２のサブセットとの内で基準信号リソースのロケーションを構成することと、
前記基準信号リソースの前記ロケーションに少なくとも部分的に基づいて基準信号送信の波形を決定することと、
前記基準信号リソースを介して前記基準信号を送信することと
を備える、ワイヤレス通信のための方法。
【請求項１２】
ワイヤレスリソースの前記第１のセットが、第１の帯域幅にわたる周波数リソースの第１のセットを備え、ワイヤレスリソースの前記第２のセットが、前記第１の帯域幅よりも大きい第２の帯域幅にわたり前記第１の帯域幅の少なくとも一部分と重複する周波数リソースの第２のセットを備え、前記方法が、
周波数リソースの前記第２のセットにわたって非一様に分配された前記基準信号リソースを構成すること
をさらに備える、請求項１１に記載の方法。
【請求項１３】
同期信号送信のためのワイヤレスリソースの第１のセットとブロードキャストチャネル送信のためのワイヤレスリソースの第２のセットとを識別するための手段と、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを識別するための手段と、ここにおいて、時間リソースの前記第１のサブセットと時間リソースの前記第２のサブセットとが、異なる基準信号波形を有する、
前記基準信号リソースを介して基準信号送信を受信するための手段と、
前記基準信号リソースの前記ロケーションに少なくとも部分的に基づいて前記基準信号送信の波形を決定するための手段と、
前記受信された基準信号送信と前記基準信号送信の前記決定された波形とに少なくとも部分的に基づいてチャネル推定を実施するための手段と
を備える、ワイヤレス通信のための装置。
【請求項１４】
同期信号送信のためのワイヤレスリソースの第１のセットとブロードキャストチャネル送信のためのワイヤレスリソースの第２のセットとを構成するための手段と、ワイヤレスリソースの前記第２のセットが、時間リソースの第１のサブセットと時間リソースの第２のサブセットとを備え、ここにおいて、時間リソースの前記第１のサブセットと時間リソースの前記第２のサブセットとが、異なる基準信号波形を有する、
時間リソースの前記第１のサブセットと時間リソースの前記第２のサブセットとの内で基準信号リソースのロケーションを構成するための手段と、
前記基準信号リソースの前記ロケーションに少なくとも部分的に基づいて基準信号送信の波形を決定するための手段と、
前記基準信号リソースを介して前記基準信号を送信するための手段と
を備える、ワイヤレス通信のための装置。
【請求項１５】
ワイヤレス通信のためのコードを記憶している非一時的コンピュータ可読媒体であって、前記コードは、実行されると、コンピュータに、請求項１〜１０または１１および１２のうちのいずれか一項に記載の方法を実行させるようにプロセッサによって実行可能な命令を備える、非一時的コンピュータ可読媒体。  
【手続補正２】
【補正対象書類名】明細書
【補正対象項目名】０２１２
【補正方法】変更
【補正の内容】
【０２１２】
[0224]本明細書の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されず、本明細書で開示される原理および新規の特徴に合致する最も広い範囲を与えられるべきである。
以下に本願発明の当初の特許請求の範囲に記載された発明を付記する。
［Ｃ１］
同期信号送信のためのワイヤレスリソースの第１のセットとブロードキャストチャネル送信のためのワイヤレスリソースの第２のセットとを識別することと、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを識別することと、
前記基準信号リソースを介して基準信号送信を受信することと、
前記基準信号リソースの前記ロケーションに少なくとも部分的に基づいて前記基準信号送信の波形を決定することと、
前記受信された基準信号送信と前記基準信号送信の前記決定された波形とに少なくとも部分的に基づいてチャネル推定を実施することと
を備える、ワイヤレス通信のための方法。
［Ｃ２］
時間リソースの前記第１のサブセットと時間リソースの前記第２のサブセットとの各々の前記基準信号リソースが、同じ数の周波数トーンを占有する、Ｃ１に記載の方法。
［Ｃ３］
時間リソースの前記第１のサブセットと時間リソースの前記第２のサブセットとの各々が、同じ基準信号波形を有する、Ｃ２に記載の方法。
［Ｃ４］
時間リソースの前記第１のサブセットが、トーンの第１のサブセットとトーンの第２のサブセットとの中に基準信号リソースを含み、
時間リソースの前記第２のサブセットが、トーンの前記第１のサブセットとトーンの第３のサブセットとの中に基準信号リソースを含む、
Ｃ１に記載の方法。
［Ｃ５］
時間リソースの前記第１のサブセットと時間リソースの前記第２のサブセットとの中のトーンの前記第１のサブセットが、同じ基準信号波形を有し、
時間リソースの前記第１のサブセット中のトーンの前記第２のサブセットと、時間リソースの前記第２のサブセット中のトーンの前記第３のサブセットとが、異なる基準信号波形を有する、
Ｃ４に記載の方法。
［Ｃ６］
時間リソースの前記第１のサブセットと時間リソースの前記第２のサブセットとが、異なる基準信号波形を有する、Ｃ１に記載の方法。
［Ｃ７］
時間リソースの前記第１のサブセットと時間リソースの前記第２のサブセットとが、基準信号シーケンスの異なる部分を有する、Ｃ６に記載の方法。
［Ｃ８］
ワイヤレスリソースの前記第２のセットが物理ブロードキャストチャネル（ＰＢＣＨ）リソースを備え、ワイヤレスリソースの前記第１のセットが同期信号リソースを備える、Ｃ１に記載の方法。
［Ｃ９］
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第２のシンボルの後に位置する、
Ｃ８に記載の方法。
［Ｃ１０］
時間リソースの前記第２のシンボルが２次同期信号の送信のためであり、時間リソースの前記第４のシンボルが１次同期信号の送信のためである、Ｃ９に記載の方法。
［Ｃ１１］
前記基準信号送信が復調基準信号（ＤＭＲＳ）送信を備える、Ｃ１に記載の方法。
［Ｃ１２］
ワイヤレスリソースの前記第１のセットが、第１の帯域幅にわたる周波数リソースの第１のセットを備え、ワイヤレスリソースの前記第２のセットが、前記第１の帯域幅よりも大きい第２の帯域幅にわたり前記第１の帯域幅の少なくとも一部分と重複する周波数リソースの第２のセットを備え、前記方法が、
周波数リソースの前記第２のセットにわたって非一様に分配された前記基準信号リソースを識別すること
をさらに備える、Ｃ１に記載の方法。
［Ｃ１３］
前記基準信号リソースが、時間リソースの前記第１のサブセットと時間リソースの前記第２のサブセットとにわたって非一様に分配されるか、時間リソースの前記第１のサブセット内の前記基準信号リソースが、時間リソースの前記第２のサブセット内の基準信号リソースの少なくとも一部分とは異なる周波数リソースを占有するか、またはそれらの任意の組合せの、Ｃ１に記載の方法。
［Ｃ１４］
前記受信された基準信号送信に少なくとも部分的に基づいて送信機識別、タイミング情報、または同期信号送信構成のうちの１つまたは複数を決定すること
をさらに備える、Ｃ１に記載の方法。
［Ｃ１５］
同期信号送信のためのワイヤレスリソースの第１のセットとブロードキャストチャネル送信のためのワイヤレスリソースの第２のセットとを識別することと、ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備える、
前記第１の帯域幅に対するワイヤレスリソースの前記第２のセット内の時間リソースロケーションまたはワイヤレスリソースの前記第２のセット内の周波数リソースロケーションのうちの１つまたは複数に少なくとも部分的に基づいて、ワイヤレスリソースの前記第２のセット内で基準信号リソースのロケーションを識別することと、
前記基準信号リソースを使用して基準信号送信を受信することと
を備える、ワイヤレス通信のための方法。
［Ｃ１６］
前記第２の帯域幅が前記第１の帯域幅よりも大きい、Ｃ１５に記載の方法。
［Ｃ１７］
前記基準信号リソースのロケーションを前記識別することが、
周波数リソースの前記第２のセットにわたって非一様に分配された基準信号リソースを識別すること
を備える、Ｃ１５に記載の方法。
［Ｃ１８］
周波数リソースの前記第２のセットが、前記第１の帯域幅と重複している周波数リソースの第１のサブセットと、前記第１の帯域幅と重複していない周波数リソースの第２のサブセットとを備え、
周波数リソースの前記第２のサブセットが、周波数リソースの前記第１のサブセットよりも基準信号リソースの高い密度を有する、
Ｃ１７に記載の方法。
［Ｃ１９］
周波数リソースの前記第１のサブセットは基準信号リソースがない、Ｃ１８に記載の方法。
［Ｃ２０］
ワイヤレスリソースの前記第２のセットが、時間リソースの第１のサブセットと時間リソースの第２のサブセットとを備え、
前記基準信号リソースが、時間リソースの前記第１のサブセットと時間リソースの前記第２のサブセットとにわたって非一様に分配される、
Ｃ１５に記載の方法。
［Ｃ２１］
ワイヤレスリソースの前記第２のセットが、時間リソースの第１のサブセットと時間リソースの第２のサブセットとを備え、
時間リソースの前記第１のサブセット内の前記基準信号リソースが、時間リソースの前記第２のサブセット内の基準信号リソースの少なくとも一部分とは異なる周波数リソースを占有する、
Ｃ１５に記載の方法。
［Ｃ２２］
ワイヤレスリソースの前記第２のセットが、時間リソースの第１のサブセットと時間リソースの第２のサブセットとを備え、
時間リソースの前記第１のサブセットと時間リソースの前記第２のサブセットとの内の前記基準信号リソースの少なくとも一部分が、共通の周波数トーンを占有する、
Ｃ１５に記載の方法。
［Ｃ２３］
ワイヤレスリソースの前記第２のセットが物理ブロードキャストチャネル（ＰＢＣＨ）リソースを備え、ワイヤレスリソースの前記第１のセットが同期信号リソースを備える、Ｃ１５に記載の方法。
［Ｃ２４］
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第２のシンボルの後に位置する、
Ｃ２３に記載の方法。
［Ｃ２５］
時間リソースの前記第２のシンボルが２次同期信号の送信のためであり、時間リソースの前記第４のシンボルが１次同期信号の送信のためである、Ｃ２４に記載の方法。
［Ｃ２６］
前記基準信号送信が復調基準信号（ＤＭＲＳ）送信を備える、Ｃ１５に記載の方法。
［Ｃ２７］
ワイヤレスリソースの前記第２のセットが、時間リソースの第１のサブセットと時間リソースの第２のサブセットとを備え、前記方法が、
時間リソースの前記第１のサブセットと時間リソースの前記第２のサブセットとの内で基準信号リソースのロケーションを識別することと、
前記基準信号リソースの前記ロケーションに少なくとも部分的に基づいて前記基準信号送信の波形を決定することと、
前記受信された基準信号送信と前記基準信号送信の前記決定された波形とに少なくとも部分的に基づいてチャネル推定を実施することと
をさらに備える、Ｃ１５に記載の方法。
［Ｃ２８］
前記受信された基準信号送信に少なくとも部分的に基づいて送信機識別、タイミング情報、または同期信号送信構成のうちの１つまたは複数を決定すること
をさらに備える、Ｃ１５に記載の方法。
［Ｃ２９］
同期信号送信のためのワイヤレスリソースの第１のセットと、ブロードキャストチャネル送信のためのワイヤレスリソースの第２のセットとを識別することと、
ワイヤレスリソースの前記第２のセット内で基準信号リソースのロケーションを識別することと、
前記基準信号リソースを介して基準信号送信を受信することと、
前記受信された基準信号送信に少なくとも部分的に基づいて送信機識別、タイミング情報、または同期信号送信構成のうちの１つまたは複数を決定すること
を備える、ワイヤレス通信のための方法。
［Ｃ３０］
前記決定することが、
前記基準信号送信の基準信号シーケンスに少なくとも部分的に基づいて基地局のセル識別を決定すること
を備える、Ｃ２９に記載の方法。
［Ｃ３１］
ワイヤレスリソースの前記第１のセットを介して同期信号送信を受信することと、
前記同期信号送信に少なくとも部分的に基づいて基地局のセル識別を決定することと、およびここにおいて、前記基準信号送信を前記受信することが、前記基地局の前記セル識別に少なくとも部分的に基づく、
をさらに備える、Ｃ２９に記載の方法。
［Ｃ３２］
前記決定することが、
前記基準信号送信の基準信号シーケンスに少なくとも部分的に基づいて同期信号バーストセット内の同期信号バーストインデックスに関係する情報を決定すること
を備える、Ｃ２９に記載の方法。
［Ｃ３３］
前記決定することが、
前記基準信号送信の基準信号シーケンスに少なくとも部分的に基づいて同期信号バースト内の同期信号ブロックインデックスに関係する情報を決定すること
を備える、Ｃ２９に記載の方法。
［Ｃ３４］
前記決定することが、
前記基準信号送信の基準信号シーケンスに少なくとも部分的に基づいて、ワイヤレスリソースの前記第２のセット中で送信されるブロードキャストチャネル送信の冗長バージョンを決定すること
を備える、Ｃ２９に記載の方法。
［Ｃ３５］
前記決定することが、
前記基準信号送信の基準信号シーケンスに少なくとも部分的に基づいて同期信号バースト、同期信号バーストセット、または同期信号送信の周期性のうちの１つまたは複数の構成を決定すること
を備える、Ｃ２９に記載の方法。
［Ｃ３６］
前記決定することが、前記基準信号送信の基準信号シーケンスと、前記送信機識別、前記タイミング情報、または前記同期信号送信構成のうちの１つまたは複数との間のマッピングに少なくとも部分的に基づく、Ｃ２９に記載の方法。
［Ｃ３７］
前記決定することが、前記基準信号リソースの前記ロケーションと、前記送信機識別、前記タイミング情報、または前記同期信号送信構成のうちの１つまたは複数との間のマッピングに少なくとも部分的に基づく、Ｃ２９に記載の方法。
［Ｃ３８］
ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備え、前記方法が、
周波数リソースの前記第２のセットにわたって非一様に分配された前記基準信号リソースを識別すること
をさらに備える、Ｃ２９に記載の方法。
［Ｃ３９］
前記第１の帯域幅よりも大きい前記第２の帯域幅、Ｃ３８に記載の方法。
［Ｃ４０］
ワイヤレスリソースの前記第２のセットが物理ブロードキャストチャネル（ＰＢＣＨ）リソースを備え、ワイヤレスリソースの前記第１のセットが同期信号リソースを備える、Ｃ２９に記載の方法。
［Ｃ４１］
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第３のシンボルの後に位置する、
Ｃ４０に記載の方法。
［Ｃ４２］
時間リソースの前記第２のシンボルが２次同期信号の送信のためであり、時間リソースの前記第４のシンボルが１次同期信号の送信のためである、Ｃ４１に記載の方法。
［Ｃ４３］
前記基準信号送信が復調基準信号（ＤＭＲＳ）送信を備える、Ｃ２９に記載の方法。
［Ｃ４４］
ワイヤレスリソースの前記第２のセットが、時間リソースの第１のサブセットと時間リソースの第２のサブセットとを備え、
前記基準信号リソースが、時間リソースの前記第１のサブセットと時間リソースの前記第２のサブセットとにわたって非一様に分配されるか、時間リソースの前記第１のサブセット内の前記基準信号リソースが、時間リソースの前記第２のサブセット内の基準信号リソースの少なくとも一部分とは異なる周波数リソースを占有するか、またはそれらの任意の組合せの、
Ｃ２９に記載の方法。
［Ｃ４５］
ワイヤレスリソースの前記第２のセットが、時間リソースの第１のサブセットと時間リソースの第２のサブセットとを備え、前記方法が、
時間リソースの前記第１のサブセットと時間リソースの前記第２のサブセットとの内で基準信号リソースのロケーションを識別することと、
前記基準信号リソースの前記ロケーションに少なくとも部分的に基づいて前記基準信号送信の波形を決定することと、
前記受信された基準信号送信と前記基準信号送信の前記決定された波形とに少なくとも部分的に基づいてチャネル推定を実施することと
をさらに備える、Ｃ２９に記載の方法。
［Ｃ４６］
同期信号送信のためのワイヤレスリソースの第１のセットとブロードキャストチャネル送信のためのワイヤレスリソースの第２のセットとを構成することと、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを構成することと、
前記基準信号リソースの前記ロケーションに少なくとも部分的に基づいて基準信号送信の波形を決定することと、
前記基準信号リソースを介して前記基準信号を送信することと
を備える、ワイヤレス通信のための方法。
［Ｃ４７］
時間リソースの前記第１のサブセットと時間リソースの前記第２のサブセットとの各々の前記基準信号リソースが、同じ数の周波数トーンを占有する、Ｃ４６に記載の方法。
［Ｃ４８］
時間リソースの前記第１のサブセットと時間リソースの前記第２のサブセットとの各々が、同じ基準信号波形を有する、Ｃ４７に記載の方法。
［Ｃ４９］
時間リソースの前記第１のサブセットが、トーンの第１のサブセットとトーンの第２のサブセットとの中に基準信号リソースを含み、
時間リソースの前記第２のサブセットが、トーンの前記第１のサブセットとトーンの第３のサブセットとの中に基準信号リソースを含む、
Ｃ４６に記載の方法。
［Ｃ５０］
時間リソースの前記第１のサブセットと時間リソースの前記第２のサブセットとの中のトーンの前記第１のサブセットが、同じ基準信号波形を有し、
時間リソースの前記第１のサブセット中のトーンの前記第２のサブセットと、時間リソースの前記第２のサブセット中のトーンの前記第３のサブセットとが、異なる基準信号波形を有する、
Ｃ４９に記載の方法。
［Ｃ５１］
時間リソースの前記第１のサブセットと時間リソースの前記第２のサブセットとが、異なる基準信号波形を有する、Ｃ４６に記載の方法。
［Ｃ５２］
時間リソースの前記第１のサブセットと時間リソースの前記第２のサブセットとが、基準信号シーケンスの異なる部分を有する、Ｃ５１に記載の方法。
［Ｃ５３］
ワイヤレスリソースの前記第２のセットが物理ブロードキャストチャネル（ＰＢＣＨ）リソースを備え、ワイヤレスリソースの前記第１のセットが同期信号リソースを備える、Ｃ４６に記載の方法。
［Ｃ５４］
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第３のシンボルの後に位置する、
Ｃ５３に記載の方法。
［Ｃ５５］
時間リソースの前記第２のシンボルが２次同期信号の送信のためであり、時間リソースの前記第４のシンボルが１次同期信号の送信のためである、Ｃ５４に記載の方法。
［Ｃ５６］
前記基準信号送信が復調基準信号（ＤＭＲＳ）送信を備える、Ｃ４６に記載の方法。
［Ｃ５７］
ワイヤレスリソースの前記第１のセットが、第１の帯域幅にわたる周波数リソースの第１のセットを備え、ワイヤレスリソースの前記第２のセットが、前記第１の帯域幅よりも大きい第２の帯域幅にわたり前記第１の帯域幅の少なくとも一部分と重複する周波数リソースの第２のセットを備え、前記方法が、
周波数リソースの前記第２のセットにわたって非一様に分配された前記基準信号リソースを構成すること
をさらに備える、Ｃ４６に記載の方法。
［Ｃ５８］
前記基準信号リソースが、時間リソースの前記第１のサブセットと時間リソースの前記第２のサブセットとにわたって非一様に分配されるか、時間リソースの前記第１のサブセット内の前記基準信号リソースが、時間リソースの前記第２のサブセット内の基準信号リソースの少なくとも一部分とは異なる周波数リソースを占有するか、またはそれらの任意の組合せの、Ｃ４６に記載の方法。
［Ｃ５９］
同期信号送信のためのワイヤレスリソースの第１のセットとブロードキャストチャネル送信のためのワイヤレスリソースの第２のセットとを構成することと、ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備える、
ワイヤレスリソースの前記第２のセット内で基準信号リソースを構成することと、前記基準信号リソースのロケーションが、前記第１の帯域幅に対するワイヤレスリソースの前記第２のセット内の時間リソースロケーションまたはワイヤレスリソースの前記第２のセット内の周波数リソースロケーションのうちの１つまたは複数に少なくとも部分的に基づく、
前記基準信号リソースを使用して基準信号送信を、およびワイヤレスリソースの前記第１のセットを使用して同期信号送信を送信することと
を備える、ワイヤレス通信のための方法。
［Ｃ６０］
前記第２の帯域幅が前記第１の帯域幅よりも大きい、Ｃ５９に記載の方法。
［Ｃ６１］
前記基準信号リソースのロケーションを前記構成することが、
周波数リソースの前記第２のセットにわたって非一様に分配された基準信号リソースを構成すること
を備える、Ｃ５９に記載の方法。
［Ｃ６２］
周波数リソースの前記第２のセットが、前記第１の帯域幅と重複している周波数リソースの第１のサブセットと、前記第１の帯域幅と重複していない周波数リソースの第２のサブセットとを備え、
周波数リソースの前記第２のサブセットが、周波数リソースの前記第１のサブセットよりも基準信号リソースの高い密度を有する、
Ｃ６１に記載の方法。
［Ｃ６３］
周波数リソースの前記第１のサブセットは基準信号リソースがない、Ｃ６２に記載の方法。
［Ｃ６４］
ワイヤレスリソースの前記第２のセットが、時間リソースの第１のサブセットと時間リソースの第２のサブセットとを備え、
前記基準信号リソースが、時間リソースの前記第１のサブセットと時間リソースの前記第２のサブセットとにわたって非一様に分配される、
Ｃ５９に記載の方法。
［Ｃ６５］
ワイヤレスリソースの前記第２のセットが、時間リソースの第１のサブセットと時間リソースの第２のサブセットとを備え、
時間リソースの前記第１のサブセット内の前記基準信号リソースが、時間リソースの前記第２のサブセット内の基準信号リソースの少なくとも一部分とは異なる周波数リソースを占有する、
Ｃ５９に記載の方法。
［Ｃ６６］
ワイヤレスリソースの前記第２のセットが、時間リソースの第１のサブセットと時間リソースの第２のサブセットとを備え、
時間リソースの前記第１のサブセットと時間リソースの前記第２のサブセットとの内の前記基準信号リソースの少なくとも一部分が、共通の周波数トーンを占有する、
Ｃ５９に記載の方法。
［Ｃ６７］
ワイヤレスリソースの前記第２のセットが物理ブロードキャストチャネル（ＰＢＣＨ）リソースを備え、ワイヤレスリソースの前記第１のセットが同期信号リソースを備える、Ｃ５９に記載の方法。
［Ｃ６８］
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第３のシンボルの後に位置する、
Ｃ６７に記載の方法。
［Ｃ６９］
時間リソースの前記第２のシンボルが２次同期信号の送信のためであり、時間リソースの前記第４のシンボルが１次同期信号の送信のためである、Ｃ６８に記載の方法。
［Ｃ７０］
前記基準信号送信が復調基準信号（ＤＭＲＳ）送信を備える、Ｃ５９に記載の方法。
［Ｃ７１］
前記基準信号送信に少なくとも部分的に基づいて送信機識別、タイミング情報、または同期信号送信構成のうちの１つまたは複数の指示を提供すること
をさらに備える、Ｃ５９に記載の方法。
［Ｃ７２］
同期信号送信のためのワイヤレスリソースの第１のセットと、ブロードキャストチャネル送信のためのワイヤレスリソースの第２のセットとを構成することと、
ワイヤレスリソースの前記第２のセット内で基準信号リソースのロケーションを構成することと、
前記基準信号リソースを介して基準信号送信を送信することと、ここにおいて、前記基準信号送信、前記基準信号リソースの前記ロケーション、またはそれらの任意の組合せが、送信機識別、タイミング情報、または同期信号送信構成のうちの１つまたは複数の指示を提供する、
を備える、ワイヤレス通信のための方法。
［Ｃ７３］
基地局のセル識別と、同期信号バーストセット内の同期信号バーストインデックスと、同期信号バースト内の同期信号ブロックインデックスと、ワイヤレスリソースの前記第２のセット中で送信されるブロードキャストチャネル送信の冗長バージョンと、同期信号バースト、同期信号バーストセット、同期信号送信の周期性のうちの１つまたは複数の構成とのうちの１つまたは複数、あるいはそれらの任意の組合せが、前記基準信号送信の基準信号シーケンスにマッピングされる、Ｃ７２に記載の方法。
［Ｃ７４］
ワイヤレスリソースの前記第１のセットが、第１の帯域幅にわたる周波数リソースの第１のセットを備え、ワイヤレスリソースの前記第２のセットが、前記第１の帯域幅よりも大きい第２の帯域幅にわたり前記第１の帯域幅の少なくとも一部分と重複する周波数リソースの第２のセットを備え、前記方法が、
周波数リソースの前記第２のセットにわたって非一様に分配された前記基準信号リソースを構成すること
をさらに備える、Ｃ７２に記載の方法。
［Ｃ７５］
ワイヤレスリソースの前記第２のセットが物理ブロードキャストチャネル（ＰＢＣＨ）リソースを備え、ワイヤレスリソースの前記第１のセットが同期信号リソースを備える、Ｃ７２に記載の方法。
［Ｃ７６］
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第３のシンボルの後に位置する、
Ｃ７５に記載の方法。
［Ｃ７７］
時間リソースの前記第２のシンボルが２次同期信号の送信のためであり、時間リソースの前記第４のシンボルが１次同期信号の送信のためである、Ｃ７６に記載の方法。
［Ｃ７８］
前記基準信号送信が復調基準信号（ＤＭＲＳ）送信を備える、Ｃ７２に記載の方法。
［Ｃ７９］
同期信号送信のためのワイヤレスリソースの第１のセットとブロードキャストチャネル送信のためのワイヤレスリソースの第２のセットとを識別するための手段と、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを識別するための手段と、
前記基準信号リソースを介して基準信号送信を受信するための手段と、
前記基準信号リソースの前記ロケーションに少なくとも部分的に基づいて前記基準信号送信の波形を決定するための手段と、
前記受信された基準信号送信と前記基準信号送信の前記決定された波形とに少なくとも部分的に基づいてチャネル推定を実施するための手段と
を備える、ワイヤレス通信のための装置。
［Ｃ８０］
時間リソースの前記第１のサブセットと時間リソースの前記第２のサブセットとの各々の前記基準信号リソースが、同じ数の周波数トーンを占有する、Ｃ７９に記載の装置。
［Ｃ８１］
時間リソースの前記第１のサブセットと時間リソースの前記第２のサブセットとの各々が、同じ基準信号波形を有する、Ｃ８０に記載の装置。
［Ｃ８２］
時間リソースの前記第１のサブセットが、トーンの第１のサブセットとトーンの第２のサブセットとの中に基準信号リソースを含み、
時間リソースの前記第２のサブセットが、トーンの前記第１のサブセットとトーンの第３のサブセットとの中に基準信号リソースを含む、
Ｃ７９に記載の装置。
［Ｃ８３］
時間リソースの前記第１のサブセットと時間リソースの前記第２のサブセットとの中のトーンの前記第１のサブセットが、同じ基準信号波形を有し、
時間リソースの前記第１のサブセット中のトーンの前記第２のサブセットと、時間リソースの前記第２のサブセット中のトーンの前記第３のサブセットとが、異なる基準信号波形を有する、
Ｃ８２に記載の装置。
［Ｃ８４］
時間リソースの前記第１のサブセットと時間リソースの前記第２のサブセットとが、異なる基準信号波形を有する、Ｃ７９に記載の装置。
［Ｃ８５］
時間リソースの前記第１のサブセットと時間リソースの前記第２のサブセットとが、基準信号シーケンスの異なる部分を有する、Ｃ８４に記載の装置。
［Ｃ８６］
ワイヤレスリソースの前記第２のセットが物理ブロードキャストチャネル（ＰＢＣＨ）リソースを備え、ワイヤレスリソースの前記第１のセットが同期信号リソースを備える、Ｃ７９に記載の装置。
［Ｃ８７］
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第２のシンボルの後に位置する、
Ｃ８６に記載の装置。
［Ｃ８８］
時間リソースの前記第２のシンボルが２次同期信号の送信のためであり、時間リソースの前記第４のシンボルが１次同期信号の送信のためである、Ｃ８７に記載の装置。
［Ｃ８９］
前記基準信号送信が復調基準信号（ＤＭＲＳ）送信を備える、Ｃ７９に記載の装置。
［Ｃ９０］
ワイヤレスリソースの前記第１のセットが、第１の帯域幅にわたる周波数リソースの第１のセットを備え、ワイヤレスリソースの前記第２のセットが、前記第１の帯域幅よりも大きい第２の帯域幅にわたり前記第１の帯域幅の少なくとも一部分と重複する周波数リソースの第２のセットを備え、
周波数リソースの前記第２のセットにわたって非一様に分配された前記基準信号リソースを識別するための手段
を備える、Ｃ７９に記載の装置。
［Ｃ９１］
前記基準信号リソースが、時間リソースの前記第１のサブセットと時間リソースの前記第２のサブセットとにわたって非一様に分配されるか、時間リソースの前記第１のサブセット内の前記基準信号リソースが、時間リソースの前記第２のサブセット内の基準信号リソースの少なくとも一部分とは異なる周波数リソースを占有するか、またはそれらの任意の組合せの、Ｃ７９に記載の装置。
［Ｃ９２］
前記受信された基準信号送信に少なくとも部分的に基づいて送信機識別、タイミング情報、または同期信号送信構成のうちの１つまたは複数を決定するための手段
をさらに備える、Ｃ７９に記載の装置。
［Ｃ９３］
同期信号送信のためのワイヤレスリソースの第１のセットとブロードキャストチャネル送信のためのワイヤレスリソースの第２のセットとを識別するための手段と、ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備える、
前記第１の帯域幅に対するワイヤレスリソースの前記第２のセット内の時間リソースロケーションまたはワイヤレスリソースの前記第２のセット内の周波数リソースロケーションのうちの１つまたは複数に少なくとも部分的に基づいて、ワイヤレスリソースの前記第２のセット内で基準信号リソースのロケーションを識別するための手段と、
前記基準信号リソースを使用して基準信号送信を受信するための手段と
を備える、ワイヤレス通信のための装置。
［Ｃ９４］
前記第２の帯域幅が前記第１の帯域幅よりも大きい、Ｃ９３に記載の装置。
［Ｃ９５］
前記基準信号リソースのロケーションを前記識別することが、
周波数リソースの前記第２のセットにわたって非一様に分配された基準信号リソースを識別するための手段
を備える、Ｃ９３に記載の装置。
［Ｃ９６］
周波数リソースの前記第２のセットが、前記第１の帯域幅と重複している周波数リソースの第１のサブセットと、前記第１の帯域幅と重複していない周波数リソースの第２のサブセットとを備え、
周波数リソースの前記第２のサブセットが、周波数リソースの前記第１のサブセットよりも基準信号リソースの高い密度を有する、
Ｃ９５に記載の装置。
［Ｃ９７］
周波数リソースの前記第１のサブセットは基準信号リソースがない、Ｃ９６に記載の装置。
［Ｃ９８］
ワイヤレスリソースの前記第２のセットが、時間リソースの第１のサブセットと時間リソースの第２のサブセットとを備え、
前記基準信号リソースが、時間リソースの前記第１のサブセットと時間リソースの前記第２のサブセットとにわたって非一様に分配される、
Ｃ９３に記載の装置。
［Ｃ９９］
ワイヤレスリソースの前記第２のセットが、時間リソースの第１のサブセットと時間リソースの第２のサブセットとを備え、
時間リソースの前記第１のサブセット内の前記基準信号リソースが、時間リソースの前記第２のサブセット内の基準信号リソースの少なくとも一部分とは異なる周波数リソースを占有する、
Ｃ９３に記載の装置。
［Ｃ１００］
ワイヤレスリソースの前記第２のセットが、時間リソースの第１のサブセットと時間リソースの第２のサブセットとを備え、
時間リソースの前記第１のサブセットと時間リソースの前記第２のサブセットとの内の前記基準信号リソースの少なくとも一部分が、共通の周波数トーンを占有する、
Ｃ９３に記載の装置。
［Ｃ１０１］
ワイヤレスリソースの前記第２のセットが物理ブロードキャストチャネル（ＰＢＣＨ）リソースを備え、ワイヤレスリソースの前記第１のセットが同期信号リソースを備える、Ｃ９３に記載の装置。
［Ｃ１０２］
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第２のシンボルの後に位置する、
Ｃ１０１に記載の装置。
［Ｃ１０３］
時間リソースの前記第２のシンボルが２次同期信号の送信のためであり、時間リソースの前記第４のシンボルが１次同期信号の送信のためである、Ｃ１０２に記載の装置。
［Ｃ１０４］
前記基準信号送信が復調基準信号（ＤＭＲＳ）送信を備える、Ｃ９３に記載の装置。
［Ｃ１０５］
ワイヤレスリソースの前記第２のセットが、時間リソースの第１のサブセットと時間リソースの第２のサブセットとを備え、
時間リソースの前記第１のサブセットと時間リソースの前記第２のサブセットとの内で基準信号リソースのロケーションを識別するための手段と、
前記基準信号リソースの前記ロケーションに少なくとも部分的に基づいて前記基準信号送信の波形を決定するための手段と、
前記受信された基準信号送信と前記基準信号送信の前記決定された波形とに少なくとも部分的に基づいてチャネル推定を実施するための手段と
を備える、Ｃ９３に記載の装置。
［Ｃ１０６］
前記受信された基準信号送信に少なくとも部分的に基づいて送信機識別、タイミング情報、または同期信号送信構成のうちの１つまたは複数を決定するための手段
をさらに備える、Ｃ９３に記載の装置。
［Ｃ１０７］
同期信号送信のためのワイヤレスリソースの第１のセットと、ブロードキャストチャネル送信のためのワイヤレスリソースの第２のセットとを識別するための手段と、
ワイヤレスリソースの前記第２のセット内で基準信号リソースのロケーションを識別するための手段と、
前記基準信号リソースを介して基準信号送信を受信するための手段と、
前記受信された基準信号送信に少なくとも部分的に基づいて送信機識別、タイミング情報、または同期信号送信構成のうちの１つまたは複数を決定するための手段と
を備える、ワイヤレス通信のための装置。
［Ｃ１０８］
前記決定することが、
前記基準信号送信の基準信号シーケンスに少なくとも部分的に基づいて基地局のセル識別を決定するための手段
を備える、Ｃ１０７に記載の装置。
［Ｃ１０９］
ワイヤレスリソースの前記第１のセットを介して同期信号送信を受信するための手段と、
前記同期信号送信に少なくとも部分的に基づいて基地局のセル識別を決定するための手段と、およびここにおいて、前記基準信号送信を前記受信することが、前記基地局の前記セル識別に少なくとも部分的に基づく、
をさらに備える、Ｃ１０７に記載の装置。
［Ｃ１１０］
前記決定することが、
前記基準信号送信の基準信号シーケンスに少なくとも部分的に基づいて同期信号バーストセット内の同期信号バーストインデックスに関係する情報を決定するための手段
を備える、Ｃ１０７に記載の装置。
［Ｃ１１１］
前記決定することが、
前記基準信号送信の基準信号シーケンスに少なくとも部分的に基づいて同期信号バースト内の同期信号ブロックインデックスに関係する情報を決定するための手段
を備える、Ｃ１０７に記載の装置。
［Ｃ１１２］
前記決定することが、
前記基準信号送信の基準信号シーケンスに少なくとも部分的に基づいて、ワイヤレスリソースの前記第２のセット中で送信されるブロードキャストチャネル送信の冗長バージョンを決定するための手段
を備える、Ｃ１０７に記載の装置。
［Ｃ１１３］
前記決定することが、
前記基準信号送信の基準信号シーケンスに少なくとも部分的に基づいて同期信号バースト、同期信号バーストセット、または同期信号送信の周期性のうちの１つまたは複数の構成を決定するための手段
を備える、Ｃ１０７に記載の装置。
［Ｃ１１４］
前記決定することが、前記基準信号送信の基準信号シーケンスと、前記送信機識別、前記タイミング情報、または前記同期信号送信構成のうちの１つまたは複数との間のマッピングに少なくとも部分的に基づく、Ｃ１０７に記載の装置。
［Ｃ１１５］
前記決定することが、前記基準信号リソースの前記ロケーションと、前記送信機識別、前記タイミング情報、または前記同期信号送信構成のうちの１つまたは複数との間のマッピングに少なくとも部分的に基づく、Ｃ１０７に記載の装置。
［Ｃ１１６］
ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備え、
周波数リソースの前記第２のセットにわたって非一様に分配された前記基準信号リソースを識別するための手段
を備える、Ｃ１０７に記載の装置。
［Ｃ１１７］
前記第１の帯域幅よりも大きい前記第２の帯域幅、Ｃ１１６に記載の装置。
［Ｃ１１８］
ワイヤレスリソースの前記第２のセットが物理ブロードキャストチャネル（ＰＢＣＨ）リソースを備え、ワイヤレスリソースの前記第１のセットが同期信号リソースを備える、Ｃ１０７に記載の装置。
［Ｃ１１９］
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第３のシンボルの後に位置する、
Ｃ１１８に記載の装置。
［Ｃ１２０］
時間リソースの前記第２のシンボルが２次同期信号の送信のためであり、時間リソースの前記第４のシンボルが１次同期信号の送信のためである、Ｃ１１９に記載の装置。
［Ｃ１２１］
前記基準信号送信が復調基準信号（ＤＭＲＳ）送信を備える、Ｃ１０７に記載の装置。
［Ｃ１２２］
ワイヤレスリソースの前記第２のセットが、時間リソースの第１のサブセットと時間リソースの第２のサブセットとを備え、
前記基準信号リソースが、時間リソースの前記第１のサブセットと時間リソースの前記第２のサブセットとにわたって非一様に分配されるか、時間リソースの前記第１のサブセット内の前記基準信号リソースが、時間リソースの前記第２のサブセット内の基準信号リソースの少なくとも一部分とは異なる周波数リソースを占有するか、またはそれらの任意の組合せの、
Ｃ１０７に記載の装置。
［Ｃ１２３］
ワイヤレスリソースの前記第２のセットが、時間リソースの第１のサブセットと時間リソースの第２のサブセットとを備え、
時間リソースの前記第１のサブセットと時間リソースの前記第２のサブセットとの内で基準信号リソースのロケーションを識別するための手段と、
前記基準信号リソースの前記ロケーションに少なくとも部分的に基づいて前記基準信号送信の波形を決定するための手段と、
前記受信された基準信号送信と前記基準信号送信の前記決定された波形とに少なくとも部分的に基づいてチャネル推定を実施するための手段と
を備える、Ｃ１０７に記載の装置。
［Ｃ１２４］
同期信号送信のためのワイヤレスリソースの第１のセットとブロードキャストチャネル送信のためのワイヤレスリソースの第２のセットとを構成するための手段と、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを構成するための手段と、
前記基準信号リソースの前記ロケーションに少なくとも部分的に基づいて基準信号送信の波形を決定するための手段と、
前記基準信号リソースを介して前記基準信号を送信するための手段と
を備える、ワイヤレス通信のための装置。
［Ｃ１２５］
時間リソースの前記第１のサブセットと時間リソースの前記第２のサブセットとの各々の前記基準信号リソースが、同じ数の周波数トーンを占有する、Ｃ１２４に記載の装置。
［Ｃ１２６］
時間リソースの前記第１のサブセットと時間リソースの前記第２のサブセットとの各々が、同じ基準信号波形を有する、Ｃ１２５に記載の装置。
［Ｃ１２７］
時間リソースの前記第１のサブセットが、トーンの第１のサブセットとトーンの第２のサブセットとの中に基準信号リソースを含み、
時間リソースの前記第２のサブセットが、トーンの前記第１のサブセットとトーンの第３のサブセットとの中に基準信号リソースを含む、
Ｃ１２４に記載の装置。
［Ｃ１２８］
時間リソースの前記第１のサブセットと時間リソースの前記第２のサブセットとの中のトーンの前記第１のサブセットが、同じ基準信号波形を有し、
時間リソースの前記第１のサブセット中のトーンの前記第２のサブセットと、時間リソースの前記第２のサブセット中のトーンの前記第３のサブセットとが、異なる基準信号波形を有する、
Ｃ１２７に記載の装置。
［Ｃ１２９］
時間リソースの前記第１のサブセットと時間リソースの前記第２のサブセットとが、異なる基準信号波形を有する、Ｃ１２４に記載の装置。
［Ｃ１３０］
時間リソースの前記第１のサブセットと時間リソースの前記第２のサブセットとが、基準信号シーケンスの異なる部分を有する、Ｃ１２９に記載の装置。
［Ｃ１３１］
ワイヤレスリソースの前記第２のセットが物理ブロードキャストチャネル（ＰＢＣＨ）リソースを備え、ワイヤレスリソースの前記第１のセットが同期信号リソースを備える、Ｃ１２４に記載の装置。
［Ｃ１３２］
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第３のシンボルの後に位置する、
Ｃ１３１に記載の装置。
［Ｃ１３３］
時間リソースの前記第２のシンボルが２次同期信号の送信のためであり、時間リソースの前記第４のシンボルが１次同期信号の送信のためである、Ｃ１３２に記載の装置。
［Ｃ１３４］
前記基準信号送信が復調基準信号（ＤＭＲＳ）送信を備える、Ｃ１２４に記載の装置。
［Ｃ１３５］
ワイヤレスリソースの前記第１のセットが、第１の帯域幅にわたる周波数リソースの第１のセットを備え、ワイヤレスリソースの前記第２のセットが、前記第１の帯域幅よりも大きい第２の帯域幅にわたり前記第１の帯域幅の少なくとも一部分と重複する周波数リソースの第２のセットを備え、
周波数リソースの前記第２のセットにわたって非一様に分配された前記基準信号リソースを構成するための手段
を備える、Ｃ１２４に記載の装置。
［Ｃ１３６］
前記基準信号リソースが、時間リソースの前記第１のサブセットと時間リソースの前記第２のサブセットとにわたって非一様に分配されるか、時間リソースの前記第１のサブセット内の前記基準信号リソースが、時間リソースの前記第２のサブセット内の基準信号リソースの少なくとも一部分とは異なる周波数リソースを占有するか、またはそれらの任意の組合せの、Ｃ１２４に記載の装置。
［Ｃ１３７］
同期信号送信のためのワイヤレスリソースの第１のセットとブロードキャストチャネル送信のためのワイヤレスリソースの第２のセットとを構成するための手段と、ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備える、
ワイヤレスリソースの前記第２のセット内で基準信号リソースを構成するための手段と、前記基準信号リソースのロケーションが、前記第１の帯域幅に対するワイヤレスリソースの前記第２のセット内の時間リソースロケーションまたはワイヤレスリソースの前記第２のセット内の周波数リソースロケーションのうちの１つまたは複数に少なくとも部分的に基づく、
前記基準信号リソースを使用して基準信号送信を、およびワイヤレスリソースの前記第１のセットを使用して同期信号送信を送信するための手段と
を備える、ワイヤレス通信のための装置。
［Ｃ１３８］
前記第２の帯域幅が前記第１の帯域幅よりも大きい、Ｃ１３７に記載の装置。
［Ｃ１３９］
前記基準信号リソースのロケーションを前記構成することが、
周波数リソースの前記第２のセットにわたって非一様に分配された基準信号リソースを構成するための手段
を備える、Ｃ１３７に記載の装置。
［Ｃ１４０］
周波数リソースの前記第２のセットが、前記第１の帯域幅と重複している周波数リソースの第１のサブセットと、前記第１の帯域幅と重複していない周波数リソースの第２のサブセットとを備え、
周波数リソースの前記第２のサブセットが、周波数リソースの前記第１のサブセットよりも基準信号リソースの高い密度を有する、
Ｃ１３９に記載の装置。
［Ｃ１４１］
周波数リソースの前記第１のサブセットは基準信号リソースがない、Ｃ１４０に記載の装置。
［Ｃ１４２］
ワイヤレスリソースの前記第２のセットが、時間リソースの第１のサブセットと時間リソースの第２のサブセットとを備え、
前記基準信号リソースが、時間リソースの前記第１のサブセットと時間リソースの前記第２のサブセットとにわたって非一様に分配される、
Ｃ１３７に記載の装置。
［Ｃ１４３］
ワイヤレスリソースの前記第２のセットが、時間リソースの第１のサブセットと時間リソースの第２のサブセットとを備え、
時間リソースの前記第１のサブセット内の前記基準信号リソースが、時間リソースの前記第２のサブセット内の基準信号リソースの少なくとも一部分とは異なる周波数リソースを占有する、
Ｃ１３７に記載の装置。
［Ｃ１４４］
ワイヤレスリソースの前記第２のセットが、時間リソースの第１のサブセットと時間リソースの第２のサブセットとを備え、
時間リソースの前記第１のサブセットと時間リソースの前記第２のサブセットとの内の前記基準信号リソースの少なくとも一部分が、共通の周波数トーンを占有する、
Ｃ１３７に記載の装置。
［Ｃ１４５］
ワイヤレスリソースの前記第２のセットが物理ブロードキャストチャネル（ＰＢＣＨ）リソースを備え、ワイヤレスリソースの前記第１のセットが同期信号リソースを備える、Ｃ１３７に記載の装置。
［Ｃ１４６］
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第３のシンボルの後に位置する、
Ｃ１４５に記載の装置。
［Ｃ１４７］
時間リソースの前記第２のシンボルが２次同期信号の送信のためであり、時間リソースの前記第４のシンボルが１次同期信号の送信のためである、Ｃ１４６に記載の装置。
［Ｃ１４８］
前記基準信号送信が復調基準信号（ＤＭＲＳ）送信を備える、Ｃ１３７に記載の装置。
［Ｃ１４９］
前記基準信号送信に少なくとも部分的に基づいて送信機識別、タイミング情報、または同期信号送信構成のうちの１つまたは複数の指示を提供するための手段
をさらに備える、Ｃ１３７に記載の装置。
［Ｃ１５０］
同期信号送信のためのワイヤレスリソースの第１のセットと、ブロードキャストチャネル送信のためのワイヤレスリソースの第２のセットとを構成するための手段と、
ワイヤレスリソースの前記第２のセット内で基準信号リソースのロケーションを構成するための手段と、
前記基準信号リソースを介して基準信号送信を送信するための手段と、ここにおいて、前記基準信号送信、前記基準信号リソースの前記ロケーション、またはそれらの任意の組合せが、送信機識別、タイミング情報、または同期信号送信構成のうちの１つまたは複数の指示を提供する、
を備える、ワイヤレス通信のための装置。
［Ｃ１５１］
基地局のセル識別と、同期信号バーストセット内の同期信号バーストインデックスと、同期信号バースト内の同期信号ブロックインデックスと、ワイヤレスリソースの前記第２のセット中で送信されるブロードキャストチャネル送信の冗長バージョンと、同期信号バースト、同期信号バーストセット、同期信号送信の周期性のうちの１つまたは複数の構成とのうちの１つまたは複数、あるいはそれらの任意の組合せが、前記基準信号送信の基準信号シーケンスにマッピングされる、Ｃ１５０に記載の装置。
［Ｃ１５２］
ワイヤレスリソースの前記第１のセットが、第１の帯域幅にわたる周波数リソースの第１のセットを備え、ワイヤレスリソースの前記第２のセットが、前記第１の帯域幅よりも大きい第２の帯域幅にわたり前記第１の帯域幅の少なくとも一部分と重複する周波数リソースの第２のセットを備え、
周波数リソースの前記第２のセットにわたって非一様に分配された前記基準信号リソースを構成するための手段
を備える、Ｃ１５０に記載の装置。
［Ｃ１５３］
ワイヤレスリソースの前記第２のセットが物理ブロードキャストチャネル（ＰＢＣＨ）リソースを備え、ワイヤレスリソースの前記第１のセットが同期信号リソースを備える、Ｃ１５０に記載の装置。
［Ｃ１５４］
前記ＰＢＣＨリソースが、時間リソースの第１のシンボルと時間リソースの第３のシンボルとを備え、
前記同期信号リソースが、時間リソースの第２のシンボルと時間リソースの第４のシンボルとを備える、時間リソースの前記第２のシンボルが、時間リソースの前記第１のシンボルと時間リソースの前記第３のシンボルとの間に位置し、時間リソースの前記第４のシンボルが、時間リソースの前記第３のシンボルの後に位置する、
Ｃ１５３に記載の装置。
［Ｃ１５５］
時間リソースの前記第２のシンボルが２次同期信号の送信のためであり、時間リソースの前記第４のシンボルが１次同期信号の送信のためである、Ｃ１５４に記載の装置。
［Ｃ１５６］
前記基準信号送信が復調基準信号（ＤＭＲＳ）送信を備える、Ｃ１５０に記載の装置。
［Ｃ１５７］
ワイヤレス通信のための装置であって、
プロセッサと、
前記プロセッサと電子通信しているメモリと、
前記メモリに記憶された命令とを備え、前記命令は、
同期信号送信のためのワイヤレスリソースの第１のセットとブロードキャストチャネル送信のためのワイヤレスリソースの第２のセットとを識別することと、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを識別することと、
前記基準信号リソースを介して基準信号送信を受信することと、
前記基準信号リソースの前記ロケーションに少なくとも部分的に基づいて前記基準信号送信の波形を決定することと、
前記受信された基準信号送信と前記基準信号送信の前記決定された波形とに少なくとも部分的に基づいてチャネル推定を実施することと
を前記装置に行わせるように前記プロセッサによって実行可能である、装置。
［Ｃ１５８］
ワイヤレス通信のための装置であって、
プロセッサと、
前記プロセッサと電子通信しているメモリと、
前記メモリに記憶された命令とを備え、前記命令は、
同期信号送信のためのワイヤレスリソースの第１のセットとブロードキャストチャネル送信のためのワイヤレスリソースの第２のセットとを識別することと、ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備える、
前記第１の帯域幅に対するワイヤレスリソースの前記第２のセット内の時間リソースロケーションまたはワイヤレスリソースの前記第２のセット内の周波数リソースロケーションのうちの１つまたは複数に少なくとも部分的に基づいて、ワイヤレスリソースの前記第２のセット内で基準信号リソースのロケーションを識別することと、
前記基準信号リソースを使用して基準信号送信を受信することと
を前記装置に行わせるように前記プロセッサによって実行可能である、装置。
［Ｃ１５９］
ワイヤレス通信のための装置であって、
プロセッサと、
前記プロセッサと電子通信しているメモリと、
前記メモリに記憶された命令とを備え、前記命令が、
同期信号送信のためのワイヤレスリソースの第１のセットと、ブロードキャストチャネル送信のためのワイヤレスリソースの第２のセットとを識別することと、
ワイヤレスリソースの前記第２のセット内で基準信号リソースのロケーションを識別することと、
前記基準信号リソースを介して基準信号送信を受信することと、
前記受信された基準信号送信に少なくとも部分的に基づいて送信機識別、タイミング情報、または同期信号送信構成のうちの１つまたは複数を決定することと
を前記装置に行わせるように前記プロセッサによって実行可能である、装置。
［Ｃ１６０］
ワイヤレス通信のための装置であって、
プロセッサと、
前記プロセッサと電子通信しているメモリと、
前記メモリに記憶された命令とを備え、前記命令は、
同期信号送信のためのワイヤレスリソースの第１のセットとブロードキャストチャネル送信のためのワイヤレスリソースの第２のセットとを構成することと、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを構成することと、
前記基準信号リソースの前記ロケーションに少なくとも部分的に基づいて基準信号送信の波形を決定することと、
前記基準信号リソースを介して前記基準信号を送信することと
を前記装置に行わせるように前記プロセッサによって実行可能である、装置。
［Ｃ１６１］
ワイヤレス通信のための装置であって、
プロセッサと、
前記プロセッサと電子通信しているメモリと、
前記メモリに記憶された命令とを備え、前記命令は、
同期信号送信のためのワイヤレスリソースの第１のセットとブロードキャストチャネル送信のためのワイヤレスリソースの第２のセットとを構成することと、ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備える、
ワイヤレスリソースの前記第２のセット内で基準信号リソースを構成することと、前記基準信号リソースのロケーションが、前記第１の帯域幅に対するワイヤレスリソースの前記第２のセット内の時間リソースロケーションまたはワイヤレスリソースの前記第２のセット内の周波数リソースロケーションのうちの１つまたは複数に少なくとも部分的に基づく、
前記基準信号リソースを使用して基準信号送信を、およびワイヤレスリソースの前記第１のセットを使用して同期信号送信を送信することと
を前記装置に行わせるように前記プロセッサによって実行可能である、装置。
［Ｃ１６２］
ワイヤレス通信のための装置であって、
プロセッサと、
前記プロセッサと電子通信しているメモリと、
前記メモリに記憶された命令とを備え、前記命令は、
同期信号送信のためのワイヤレスリソースの第１のセットと、ブロードキャストチャネル送信のためのワイヤレスリソースの第２のセットとを構成することと、
ワイヤレスリソースの前記第２のセット内で基準信号リソースのロケーションを構成することと、
前記基準信号リソースを介して基準信号送信を送信することと、ここにおいて、前記基準信号送信、前記基準信号リソースの前記ロケーション、またはそれらの任意の組合せが、送信機識別、タイミング情報、または同期信号送信構成のうちの１つまたは複数の指示を提供する、
を前記装置に行わせるように前記プロセッサによって実行可能である、装置。
［Ｃ１６３］
ワイヤレス通信のためのコードを記憶している非一時的コンピュータ可読媒体であって、前記コードは、
同期信号送信のためのワイヤレスリソースの第１のセットとブロードキャストチャネル送信のためのワイヤレスリソースの第２のセットとを識別することと、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを識別することと、
前記基準信号リソースを介して基準信号送信を受信することと、
前記基準信号リソースの前記ロケーションに少なくとも部分的に基づいて前記基準信号送信の波形を決定することと、
前記受信された基準信号送信と前記基準信号送信の前記決定された波形とに少なくとも部分的に基づいてチャネル推定を実施することと
を行うようにプロセッサによって実行可能な命令を備える、非一時的コンピュータ可読媒体。
［Ｃ１６４］
ワイヤレス通信のためのコードを記憶している非一時的コンピュータ可読媒体であって、前記コードは、
同期信号送信のためのワイヤレスリソースの第１のセットとブロードキャストチャネル送信のためのワイヤレスリソースの第２のセットとを識別することと、ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備える、
前記第１の帯域幅に対するワイヤレスリソースの前記第２のセット内の時間リソースロケーションまたはワイヤレスリソースの前記第２のセット内の周波数リソースロケーションのうちの１つまたは複数に少なくとも部分的に基づいて、ワイヤレスリソースの前記第２のセット内で基準信号リソースのロケーションを識別することと、
前記基準信号リソースを使用して基準信号送信を受信することと
を行うようにプロセッサによって実行可能な命令を備える、非一時的コンピュータ可読媒体。
［Ｃ１６５］
ワイヤレス通信のためのコードを記憶している非一時的コンピュータ可読媒体であって、前記コードが、
同期信号送信のためのワイヤレスリソースの第１のセットと、ブロードキャストチャネル送信のためのワイヤレスリソースの第２のセットとを識別することと、
ワイヤレスリソースの前記第２のセット内で基準信号リソースのロケーションを識別することと、
前記基準信号リソースを介して基準信号送信を受信することと、
前記受信された基準信号送信に少なくとも部分的に基づいて送信機識別、タイミング情報、または同期信号送信構成のうちの１つまたは複数を決定することと
を行うようにプロセッサによって実行可能な命令を備える、非一時的コンピュータ可読媒体。
［Ｃ１６６］
ワイヤレス通信のためのコードを記憶している非一時的コンピュータ可読媒体であって、前記コードは、
同期信号送信のためのワイヤレスリソースの第１のセットとブロードキャストチャネル送信のためのワイヤレスリソースの第２のセットとを構成することと、ワイヤレスリソースの前記第２のセットが、時間リソースの第１のサブセットと時間リソースの第２のサブセットとを備える、
時間リソースの前記第１のサブセットと時間リソースの前記第２のサブセットとの内で基準信号リソースのロケーションを構成することと、
前記基準信号リソースの前記ロケーションに少なくとも部分的に基づいて基準信号送信の波形を決定することと、
前記基準信号リソースを介して前記基準信号を送信することと
を行うようにプロセッサによって実行可能な命令を備える、非一時的コンピュータ可読媒体。
［Ｃ１６７］
ワイヤレス通信のためのコードを記憶している非一時的コンピュータ可読媒体であって、前記コードは、
同期信号送信のためのワイヤレスリソースの第１のセットとブロードキャストチャネル送信のためのワイヤレスリソースの第２のセットとを構成することと、ワイヤレスリソースの前記第１のセットが、第１の帯域幅にわたる周波数リソースの第１のセットを備え、ワイヤレスリソースの前記第２のセットが、前記第１の帯域幅の少なくとも一部分と重複する第２の帯域幅にわたる周波数リソースの第２のセットを備える、
ワイヤレスリソースの前記第２のセット内で基準信号リソースを構成することと、前記基準信号リソースのロケーションが、前記第１の帯域幅に対するワイヤレスリソースの前記第２のセット内の時間リソースロケーションまたはワイヤレスリソースの前記第２のセット内の周波数リソースロケーションのうちの１つまたは複数に少なくとも部分的に基づく、
前記基準信号リソースを使用して基準信号送信を、およびワイヤレスリソースの前記第１のセットを使用して同期信号送信を送信することと
を行うようにプロセッサによって実行可能な命令を備える、非一時的コンピュータ可読媒体。
［Ｃ１６８］
ワイヤレス通信のためのコードを記憶している非一時的コンピュータ可読媒体であって、前記コードは、
同期信号送信のためのワイヤレスリソースの第１のセットと、ブロードキャストチャネル送信のためのワイヤレスリソースの第２のセットとを構成することと、
ワイヤレスリソースの前記第２のセット内で基準信号リソースのロケーションを構成することと、
前記基準信号リソースを介して基準信号送信を送信することと、ここにおいて、前記基準信号送信、前記基準信号リソースの前記ロケーション、またはそれらの任意の組合せが、送信機識別、タイミング情報、または同期信号送信構成のうちの１つまたは複数の指示を提供する、
を行うようにプロセッサによって実行可能な命令を備える、非一時的コンピュータ可読媒体。